(57)【特許請求の範囲】
【請求項１】
（イ）  知育装置（１）に正解を伝える第１音声回路（２）を設け、不正解を伝える第２音声回路（３）を設ける。
（ロ）  前記知育装置（１）に前記第１音声回路（２）と前記第２音声回路（３）の動作電圧の供給の選択を担う、質問者が操作する複数の第１スイッチ（４）を設ける。
（ハ）  前記知育装置（１）内の基板に各々の前記第１スイッチ（４）と連結するトランジスタスイッチ（５）を設ける。
（ニ）  前記知育装置（１）に１つのスペース（６）を設ける。
（ホ）  前記スペース（６）に複数の第１光センサー（８）を設け、各々の第１光センサー（８）の反応により各々の第１光センサー（８）と対応関係にある前記トランジスタスイッチ（５）を動作させる様にする。
（ヘ）  複数の模造体（７）を設け、複数の模造体（７）の各々に位置の異なる１つの穴（９）を設け、複数の模造体（７）の中から解答として選択する模造体（７）を前記スペース（６）に乗せた際に、位置の異なる１つの穴（９）は複数の前記第１光センサー（８）の中の対応関係にある前記第１光センサー（８）と対面する様にする。
（ト）  複数の前記第１スイッチ（４）と前記第１音声回路（２）の連結を解除すると共に、複数の前記第１スイッチ（４）と前記第２音声回路（３）の連結を解除する第２スイッチ（１０）を設ける。
（チ）  複数の前記第１スイッチ（４）を２回路対応型とし、各々の前記第１スイッチ（４）を操作して接点を切り替えることで連結するＬＥＤ点灯回路（１１）を付加し、前記スペース（６）に各々のＬＥＤ点灯回路（１１）により点灯する第１ＬＥＤ（１２）を設ける。
（リ）  前記スペース（６）に第２光センサー（１３）を設け、第２光センサー（１３）の反応によりリレー（１４）を動作させるか否かで複数の前記第１光センサー（８）、複数の前記第１光センサー（８）の増幅回路及び複数の前記トランジスタスイッチ（５）と、前記ＬＥＤ点灯回路（１１）側の複数の前記第１スイッチ（４）の動作電圧の供給の選択を担う様にする。
この様な構成とした知育装置（１）であって、
（ヌ）  複数の前記第１スイッチ（４）をトレー（１５）に配置し、ガイド（１６）を前記知育装置（１）のケース（１７）の内側に設け、トレー（１５）がガイド（１６）と擦れ合うことでトレー（１５）をケース（１７）の側面から円滑に引き出して前記第１スイッチ（４）の操作を行なう様にし、複数の前記模造体（７）に付与される番号と照合できる様にする番号群（１８）を各々の前記第１ＬＥＤ（１２）に隣接させる。
以上の様に構成し、スペース（６）の寸法を含めて、知育装置（１）のケース（１７）の寸法を変えることなく複数の第１スイッチ（４）の配置変更を行なう様にした、知育装置。
【発明の詳細な説明】
【技術分野】
【０００１】  本発明は正誤判断機能を備えた知育装置に関するものである。
【背景技術】
【０００２】  複数の第１スイッチと正解を伝える第１音声回路の連結を解除すると共に、複数の第１スイッチと不正解を伝える第２音声回路の連結を解除する第２スイッチの操作により学習者が選択する模造体に対する正誤判断機能が動作する構成を備える知育装置があり、特願２００７−３５４９３に示す構成の様に模造体が乗るスペ−スに凹みを設け、複数の第１スイッチを凹みに配置することで知育装置の小型化を図るものがある。
【発明が解決しようとする課題】
【０００３】  このスペ−スには複数の第１光センサ−の他に、複数の第１スイッチや正解の模造体を教える複数の第１ＬＥＤが設けられる等、スペ−スに模造体を乗せた際においても影響を被ることのない構成を配置することで知育装置の小型化を図るものである。本発明は第１スイッチのための操作性の向上及び、正解を教える機能の一部である第１ＬＥＤや番号群の設置面積の確保を目的とするものであり、スペ−スの寸法を含めて、知育装置のケ−スの寸法を変えることなく複数の第１スイッチの配置変更が行なえる構成を提供する。
【課題を解決するための手段】
【０００４】（イ）  知育装置１に正解を伝える第１音声回路２を設け、不正解を伝える第２音声回路３を設ける。
（ロ）  前記知育装置１に前記第１音声回路２と前記第２音声回路３の動作電圧の供給の選択を担う、質問者が操作する複数の第１スイッチ４を設ける。
（ハ）  前記知育装置１内の基板に各々の前記第１スイッチ４と連結するトランジスタスイッチ５を設ける。
（ニ）  前記知育装置１に１つのスペ−ス６を設ける。
（ホ）  複数の模造体７を設け、複数の模造体７の中から学習者が解答として選択する模造体７を前記スペ−ス６に乗せる様にする。
（ヘ）  前記スペ−ス６に複数の第１光センサ−８を設け、各々の第１光センサ−８の反応により各々の第１光センサ−８と対応関係にある前記トランジスタスイッチ５を動作させる様にする。
（ト）  複数の前記模造体７の各々に位置の異なる１つの穴９を設け、前記模造体７を前記スペ−ス６に乗せた際に位置の異なる１つの穴９は複数の前記第１光センサ−８の中の対応関係にある前記第１光センサ−８と対面する様にする。
（チ）  複数の前記第１スイッチ４と前記第１音声回路２の連結を解除すると共に、複数の前記第１スイッチ４と前記第２音声回路３の連結を解除する第２スイッチ１０を設ける。
（リ）  複数の前記第１スイッチ４を２回路対応型とし、各々の前記第１スイッチ４を操作して接点を切り替えることで連結するＬＥＤ点灯回路１１を付加し、前記スペ−ス６に各々のＬＥＤ点灯回路１１により点灯する第１ＬＥＤ１２を設ける。
（ヌ）  前記スペ−ス６に第２光センサ−１３を設け、第２光センサ−１３の反応によりリレ−１４を動作させるが否かで複数の前記第１光センサ−８、複数の前記第１光センサ−８の増幅回路及び複数の前記トランジスタスイッチ５と、前記ＬＥＤ点灯回路１１側の複数の前記第１スイッチ４の動作電圧の供給の選択を担う様にする。
（ル）  複数の前記第１スイッチ４をトレ−１５に配置し、ガイド１６を前記知育装置１のケ−ス１７の内側に設け、トレ−１５がガイド１６と擦れ合うことでトレ−１５をケ−ス１７の側面から円滑に引き出して前記第１スイッチ４の操作を行なう様にし、複数の前記模造体７に付与される番号と照合できる様にする番号群１８を各々の前記第１ＬＥＤ１２に隣接させる。
以上の様に構成する。
【発明を実施するための最良の形態】
【０００５】  特願２００７−３５４９３のものはスペ−ス６に凹みを設け、複数の第１スイッチ４を凹みに配置するものであるが、図１に示すスペ−ス６には第１スイッチ４が設けられていない。つまり、複数の第１スイッチ４をトレ−１５に配置し、このトレ−１５を知育装置１のケ−ス１７の側面から引き出す構成のため、スペ−ス６には複数の第１光センサ−８、第２光センサ−１３及び、複数の第１ＬＥＤ１２と、各々の第１ＬＥＤ１２と対応させた番号群１８が配置されることになる。
又、図２に示す様にトレ−１５の４隅に触れる複数のガイド１６をケ−ス１７の内側に設け、ガイド１６と擦れ合うことでトレ−１５をケ−ス１７の側面から円滑に引き出すことができる。なお、第１スイッチ４を配置する凹みに蝶番により開閉する第１蓋を設ける従来の構成も、ケ−ス１７の前面に取っ手１９を設けてトレ−１５をケ−ス１７の側面から引き出す本発明の構成も第１スイッチ４の状況を覚られない様にするためのものである。第１蓋において、蝶番により開閉する蓋の場合は第１スイッチ４上に設けられることで設置面積は確保できるが回旋移動により操作性が悪いことが欠点であり、又、スライドにより開閉する蓋の場合は平坦な移動により操作性は良いがスライド範囲相当の設置面積を確保できないことが欠点であったが、本発明の構成によりスライド機構の操作上の優位性を維持しつつ、ケ−ス１７の大型化を阻止できる他、スペ−ス６においても第１光センサ−８、第２光センサ−１３及び、第１ＬＥＤ１２と番号群１８をゆとりをもって配置することができる。
【実施例】
【０００６】  なお、ケ−ス１７の側面は左側面、右側面、前方側面、後方側面の４箇所であるが、図１においては前方側面をトレ−１５の出し入れのために使用している。
又、図１においてはスペ−ス６に乗る模造体７の排出を円滑に行なえる様にする切れ込み２０をケ−ス１７の左右両側に設けているが、この切れ込み２０の下方の範囲でケ−ス１７内部にガイド１６を通す様にするものである。なお、切れ込み２０はスペ−ス６内に介入する存在であることでトレ−１５を受けるストッパ−の機能も担うことができる。又、図１に示す様に切れ込み２０は各々が左右方向に下る斜面を形成し、斜面がスペ−ス６内に介入することで前記の二つの機能を担うと共に、斜面にスピ−カ−２１を設けて外部入力によるオ−ディオ再生装置として活用することができる。なお、この斜面は前方方向に下る傾斜であってもこれらの機能を担うことができる。
又、図２においては複数の第１スイッチ４を配置するためにトレ−１５の第１領域Ａが提供される他、枠２２面から第１領域Ａ上方までを範囲として枠２２面にある第２スイッチ１０及び、後記する第２ＬＥＤ２３を配置するために第２領域Ｂが提供される。又、ケ−ス１７内部の下方はトレ−１５を収める格納庫として使用され、ケ−ス１７内部の上方は基板と電池ボックスを配置するために使用される様にする。なお、図２においては第１領域Ａや第２領域Ｂを斜線及び、境界を点線で表記している。
又、写真やカ−ドが収納できるフォルダ−２４を備える模造体７を模造体７の一種として用意しておき、例えば、取り揃えられる写真に関する問題を予め作成し、図１に示す模造体７は４番であるから４番に該当する写真をフォルダ−２４に収め、この様な手順により模造体７を作成して学習に臨むことになる。
又、前問題の正解が全くない場合においてトレ−１５が格納状態にあるか否かの正確な判断を第２ＬＥＤ２３の動作状況により行なう構成にしている。つまり、例えばトレ−１５のためのストッパ−付近の様な、トレ−１５を受けるケ−ス１７側の奥に２回路対応型の第３スイッチ２５を設け、格納完了時にトレ−１５が第３スイッチ２５と接触することで接点が切り替わり、又、トレ−１５をケ−ス１７の側面から引き出す際にトレ−１５が第３スイッチ２５から乖離することで接点が切り替わるものであり、トレ−１５が第３スイッチ２５から乖離することによる接点の切り替えにより第２ＬＥＤ２３が点灯することになる。
又、この構成により質問者は第１スイッチ４を操作しつつ、第１ＬＥＤ１２の動作状況を確認することが可能になり、第１スイッチ４の操作後にトレ−１５を押して格納するものであり、その回路図を図３に示す。第１スイッチ４の操作のためにトレ−１５をケ−ス１７の側面から引き出すことで第３スイッチ２５は図３に示す様に接点が切り替わり、第２ＬＥＤ２３の増幅回路及び、付加回路であるＬＥＤ点灯回路１１側の複数の第１スイッチ４に動作電圧が供給され、第２ＬＥＤ２３が点灯すると同時に、前問題の正解を教える第１ＬＥＤ１２が点灯することになり、質問者は新たな出題のための第１スイッチ４を操作しつつ、第１ＬＥＤ１２の動作状況を確認することになる。又、スペ−ス６に乗る模造体７が無いことで第２光センサ−１３は照らされるが、第２光センサ−１３に動作電圧が供給されないためにリレ−１４が動作することは無い。なお、付加回路の構成については特願２００７−３５４９３に記載し、又、第２光センサ−１３及びリレ−１４の構成については特願２００７−１５６８６９に記載するものである。
又、トレ−１５の格納完了時においては前記した様に第３スイッチ２５の接点が切り替わり、第２ＬＥＤ２３の増幅回路への動作電圧の供給を停止すると共に、第２光センサ−１３の増幅回路に動作電圧が供給され、スペ−ス６に乗る模造体７が無いことで第２光センサ−１３が反応してリレ−１４を動作させ、接点部２６に動作電圧が供給される。なお、接点部２６の構成については特願２００７−１５６８６９に記載するものである。つまり、リレ−１４と付加回路側の複数の第１スイッチ４の連結を解除する接点部２６を第２スイッチ１０に増設することで接点部２６が第２スイッチ１０の操作により動作して付加回路側の複数の第１スイッチ４に動作電圧が供給され、正解を教える第１ＬＥＤ１２が点灯することになる。なお、図３においては第１スイッチ４、第２スイッチ１０及び、第３スイッチ２５を点線で表記し、又、図１及び図２においては視界に隠れる状況での表現の困難性を理由にして第３スイッチ２５の表記をしていない。
【発明の効果】
【０００７】（ａ）  ケ−ス１７に内包されるトレ−１５は一回り口径が異なる筒同志が擦れ合う如くの作用によりトレ−１５を円滑にスライドさせることができる。
（ｂ）  スペ−ス６上の第１光センサ−８、第２光センサ−１３及び、第１ＬＥＤ１２と番号群１８をゆとりをもって配置できる他、複数の第１スイッチ４が設置されないスペ−ス６は第１スイッチ４のための設置面積相当分を縮小することで知育装置１の小型化の促進を図ることもできる。
（ｃ）  第２ＬＥＤ２３を設けることで、前問題の正解が全くない場合においてトレ−１５をケ−ス１７の側面から引き出した際に第１ＬＥＤ１２の無点灯を故障であると勘違いすることから回避することができる。
（ｄ）  第２スイッチ１０を設ける枠２２面を透過プレ−ト２７に仕上げ、透過プレ−ト２７にデコレ−ションが輝く様にする照明を正解を伝える第１音声回路２と連動させる構成にして学習者を称える雰囲気を出すことができる。
【図面の簡単な説明】
【図１】  知育装置１と学習者が選択する模造体７例を示す平面図
【図２】  知育装置１の下方における断面配置図
【図３】  第３スイッチ２５とリレ−１４の関連を示すブロック回路図
【符号の説明】
１  知育装置            ２  第１音声回路              ３  第２音声回路
４  第１スイッチ        ５  トランジスタスイッチ      ６  スペ−ス
７  模造体              ８  第１光センサ−            ９  穴
１０  第２スイッチ      １１  ＬＥＤ点灯回路          １２  第１ＬＥＤ
１３  第２光センサ−    １４  リレ−                  １５  トレ−
１６  ガイド            １７  ケ−ス                  １８  番号群
１９  取っ手            ２０  切れ込み                ２１  スピ−カ−
２２  枠                ２３  第２ＬＥＤ              ２４  フォルダ−
２５  第３スイッチ      ２６  接点部                  ２７  透過プレ−ト
Ａ  第１領域            Ｂ  第２領域
【図１】
0004844850.tif 000002
【図２】
0004844850.tif 000003
【図３】
0004844850.tif 000004